(57)【要約】【課題】処理液の使用量を減らしてインクリボンの記録跡を判読不能にする。【解決手段】スポンジからなる回転ロール６１のロール面に凸部６１ａと凹部６１ｂの凹凸形状を設け、回転ロール６１の凸部６１ａをインクリボン１３に接触させ、処理液を含浸した回転ロール６１の凸部６１ａから処理液を染み出させてインクリボン１３に付着させる。凹凸形状は回転ロール６１の一周にわたって凸部６１ａと凹部６１ｂを交互に形成して、この凸部６１ａと凹部６１ｂが回転ロール６１の長手方向に延びた形状にする。また、凹部６１ｂは硬質面に仕上げる。【選択図】図１
2011201243.tif 000002
【特許請求の範囲】
【請求項１】
インクリボンのインクを記録紙に熱転写するとともに、処理液が含浸された接触手段で前記インクリボンに前記処理液を塗布して前記インクリボンに残った記録跡の判読を不能にする熱転写プリンタにおいて、
前記接触手段が、表面の一部に凹凸形状を有し、該凹凸形状の凸部において前記インクリボンと接触して前記インクリボンに前記処理液を塗布することを特徴とする熱転写プリンタ。
【請求項２】
前記接触手段が回転ロールであり、該回転ロールのロール面に前記凹凸形状を有することを特徴とする請求項１に記載の熱転写プリンタ。
【請求項３】
前記ロール面には、該ロール面の回転方向と交差する方向に延びる凹部及び凸部が前記回転方向に交互に設けられていることを特徴とする請求項２に記載の熱転写プリンタ。
【請求項４】
前記ロール面には、該ロール面の回転方向と交差する方向に凹部と凸部が交互に形成されていることを特徴とする請求項２に記載の熱転写プリンタ。
【請求項５】
前記ロール面の凹凸形状は、凹凸部が千鳥配置された形状となっていることを特徴とする請求項２に記載の熱転写プリンタ。
【請求項６】
前記凸部の先端部分の表面のみが前記処理液の染み出す多孔質面を形成していることを特徴とする請求項１〜５のいずれか一項に記載の熱転写プリンタ。
【請求項７】
前記凹部が硬質化されていることを特徴とする請求項６記載の熱転写プリンタ。
【請求項８】
前記接触手段がスキージであり、該スキージの先端が凹凸を有する櫛歯形状となっていることを特徴とする請求項１に記載の熱転写プリンタ。
【請求項９】
前記処理液は接着性処理液であることを特徴とする請求項１〜８のいずれか一項に記載の熱転写プリンタ。
【請求項１０】
前記処理液は溶媒性処理液であることを特徴とする請求項１〜９のいずれか一項に記載の熱転写プリンタ。
【発明の詳細な説明】
【技術分野】
【０００１】
本発明は、インクリボンのインクを記録紙に熱転写するとともに、インクリボンに残った記録跡を、溶媒などの処理液を含浸させた接触手段をインクリボンに接触させて消去する熱転写プリンタに関する。
【背景技術】
【０００２】
現在、記録紙と熱転写インクリボンを重ね合わせて搬送し、サーマルヘッドの圧接による情報記録によってインクリボンのインクを記録紙に転写する構成の熱転写プリンタが普及している。この熱転写プリンタでは、熱転写が行われた使用済みのインクリボンは巻き取り装置に巻き取られと、使用済みのインクリボンの回収と、新しいインクリボンの取り付が行われる。
【０００３】
しかしこのとき、使用済みのインクリボンには転写された記録情報と同じ内容の情報がネガ情報（反転情報）の状態で残っており、これを他人に見られると重大な情報が漏洩する恐れがある。
【０００４】
この情報漏洩の問題を解決する方法は様々提案されているが、以下に従来の熱転写プリンタの構成、及びインクリボンに残った記録跡の消去装置の一例を説明する。
【０００５】
図１０は従来使用されている消去機能付き熱転写プリンタの構成の概要を模式的に示した概念図である。なお、細かい構成の図示は省略するとともに、その細かい構成の説明も省略する。
図１０において、プリンタケース５０の内部には、ロール紙取り付け軸５に取り付けられた印画用ロール紙６（以後、ロール紙６と略記する）が備えられている。またリボンカセット（図示は省略）の両端にはインクリボン取り付け軸１１とインクリボン巻き取り軸１２が設けられ、インクリボン取り付け軸１１には未使用のインクリボン１３ａが取り付けられ、またインクリボン巻き取り軸１２には使用済みのインクリボン１３ｂが巻き取られている。
【０００６】
熱転写ヘッド２０とプラテン２１との間には図示を省略したロール紙送り機構によって送り込まれたロール紙６と、インクリボン取り付け軸１１からインクリボン巻き取り軸１２に巻き取られる途中のインクリボン１３が重ね合わせて搬送され、この重ね合わせた部分に熱転写ヘッド２０から印刷情報に従った加熱が行われることによって、印刷情報に対応したインクリボン１３のインクがロール紙６に記録される。
【０００７】
そして、この記録されたロール紙６はロール紙送り機構（図示は省略）によってプリンタケース５０の印画出力口５１より出力される。また、熱転写ヘッド２０とプラテン２１との間を通過したインクリボン１３には記録されたロール紙６の情報と同じ情報がネガ情報（反転情報）として記録跡が残り、インクリボン巻き取り軸１２に使用済みのインクリボン１３ｂとして巻き取られる。
【０００８】
そこで、このインクリボン１３に残存した記録跡を判読不能にする目的で設けられたのが消去ユニット３０である。この消去ユニット３０による消去方法としてはいろいろな提案がある（例えば、特許文献１、特許文献２）。
【０００９】
図１０において、消去ユニット３０は特許文献１に記載された構成のものを示している。エタノール，メタノール，アセトンなどの溶媒性の処理液を含浸した塗布ローラー３１
を使用し、消去ユニット３０に設けた接触手段としての塗布ローラー３１を、インクリボン巻き取り軸１２に巻き取られた使用済みのインクリボン１３ｂの外周面に押し付けることによってインクリボン１３のインク面を溶かして記録残りの判読を不能にしている。
【００１０】
なお、図１０に示した消去ユニット３０は模式的に示したもので、特許文献１に記載された塗布ローラーの構成としては、容器の中に満たされている処理液を直接塗布ローラーに接触させ、その塗布ローラーを使用済みインクリボンの外周面に押し付ける構成（特許文献１の第１図）としているものである。
【００１１】
図１１は特許文献２に示された消去ユニット４０を備えた消去機能付き熱転写プリンタの概要を模式的に示した概念図である。図１１に示す消去機能付き熱転写プリンタは、消去ユニット４０の部分以外は全て図１０の消去機能付き熱転写プリンタと同じ構成で示している。なお、同一構成要素には同一番号を付し、重複する説明は省略する。
図１１に示す消去ユニット４０で図１０に示す消去ユニット３０と異なるところは、接触手段としての塗布ローラー３１の代わりにフェルト材のスキージ４１を使用していることである。
【００１２】
すなわち、溶媒性の処理液を含浸したスキージ４１を使用し、消去ユニット４０に設けた接触手段としてのスキージ４１を、インクリボン巻き取り軸１２に巻き取られた使用済みのインクリボン１３ｂの外周面に押し付けることによってインクリボン１３のインク面を溶かして記録残りの判読を不能にしている。
【００１３】
なお、特許文献２に記載されたスキージの構成としては、容器の中に満たされた処理液に直接スキージの一端を接触させ、そのスキージの他端を使用済みインクリボンの片面に押し付けてインクリボンに処理液を塗布し、塗布したインクリボンを像消去ロール（図１１では省略してある）を通過させる構成（特許文献２の第３図）としているものである。
【先行技術文献】
【特許文献】
【００１４】
【特許文献１】実開昭６２−５８６５５号公報（第１図）
【特許文献２】特開昭５９−１０３７７８号公報（第３図）
【発明の概要】
【発明が解決しようとする課題】
【００１５】
特許文献１によれば、インクリボンの記録跡は処理液によって熔解または軟化状態となって巻き取られるとブロッキングを起こしてネガ情報は判読不可能になるとされている。また、特許文献２によれば、処理液だけでネガ情報の十分な変質あるいは破壊を行わせることが可能であるとされている。
【００１６】
しかしながら、特許文献１及び特許文献２に記載の消去ユニットの構成は、インクリボンの全面に処理液を塗布する方法をとっている。インクリボンの全面に処理液を塗布するとネガ情報が完全に消去されることになるが、反面、処理液の使用量が多くなると言う問題が生じる。更にまた、塗布される処理液が多くなることから塗布ローラーやスキージにゴミなどが付着し易くなって消去ユニット自体が汚れてしまうという問題も発生する。
【００１７】
本発明は、消去ユニットを改良することで上記の課題を解決することを目的にしたものである。
【課題を解決するための手段】
【００１８】
本発明は、インクリボンのインクを記録紙に熱転写するとともに、処理液が含浸された
接触手段でインクリボンに処理液を塗布してインクリボンに残った記録跡の判読を不能にする熱転写プリンタにおいて、接触手段が、表面の一部に凹凸形状を有し、該凹凸形状の凸部においてインクリボンと接触してインクリボンに処理液を塗布することを特徴とする。
【００１９】
上記構成によれば、接触手段のインクリボンとの接触部分に凹凸形状を設け、インクリボンとの接触を接触手段の凸部で行われるようにしたことで、インクリボンへの処理液の供給量を適切に決めることができ、処理液の過剰供給量による液だれの汚れの発生を防止でき、また処理液の消費を節約して長持ちさせることができる。
【００２０】
また、接触手段を回転ロールで構成し、この回転ロールのロール面に凹凸形状を有するようにするのが好ましい。
【００２１】
この場合、ロール面には、該ロール面の回転方向と交差する方向に延びる凹部及び凸部が回転方向に交互に設けられていてもより。
【００２２】
また、ロール面には、該ロール面の回転方向と交差する方向に凹部と凸部が交互に形成されていてもよい。
【００２３】
また、ロール面の凹凸形状は、凹凸部が千鳥配置された形状となっていてもよい。
【００２４】
また、上記凸部の先端部分の表面のみが処理液の染み出す多孔質面を形成しているのが好ましい。さらに、この場合、凹部は硬質化されているのが好ましい。
【００２５】
この構成によれば、凸形状の先端のみから処理液を染みださせて記録跡の判読消去を行うと共に、凹部を硬質化することによって硬質部分の形状維持効果によりロール形状の変形を防止できる。
【００２６】
また、接触手段をスキージで構成してもよく、このスキージの先端は櫛歯形状の凹凸を有するのが好ましい。
【００２７】
処理液が接着性処理液であってもよい。
【００２８】
処理液が溶媒性処理液であってもよい。
【発明の効果】
【００２９】
本発明によれば接触手段のインクリボンとの接触部分に凹凸形状を設け、インクリボンとの接触を接触手段の凸部のみで行われるようにしたことで、インクリボンへの処理液の供給量を適切に決めることができ、処理液の過剰供給量による液だれの汚れの発生を防止でき、また処理液の消費を節約して長持ちさせることができる。
また、凸形状の先端のみから処理液を染みださせて記録跡の判読消去を行うと共に、凹部を硬質化することによって硬質部分の形状維持効果によりロール形状の変形を防止できる。
【図面の簡単な説明】
【００３０】
【図１】本発明の実施例１に係る熱転写プリンタの構成の概要を模式的に示した概念図である。
【図２】図１における消去ユニットの回転ロールの斜視図である。
【図３】図２におけるＡ部の拡大断面図である。
【図４】貯留槽付回転ロールの斜視図である。
【図５】図４におけるＢ−Ｂ切断の断面図である。
【図６】実施例２に係る接触手段としての回転ロールの形状を示す図で、図６（ａ）は回転ロールの平面図、図６（ｂ）は図６（ａ）におけるＣ−Ｃ切断の断面図である。
【図７】実施例３に係る接触手段としての回転ロールの他の凹凸形状を示した斜視図である。
【図８】実施例４に係る接触手段としてのスキージの斜視図である。
【図９】図８に示すスキージを備えた消去ユニットの概要を模式的に示した概念図である。
【図１０】従来の熱転写プリンタの構成の概要を模式的に示した概念図で、消去ユニットは特許文献１に記載された構成を示した概念図である。
【図１１】図１０に示された消去ユニットを特許文献２に記載された構成に置き換えた概念図である。
【発明を実施するための形態】
【００３１】
以下、本発明の熱転写プリンタの消去ユニットに係る実施形態を説明する。
ネガ情報なる記録跡の消去方法は、一般に、溶媒などの処理液をインクリボンに塗布し、塗布した処理液でもってインクリボンに残った記録跡の判読を不能にする。
塗布方法は、処理液を含浸した接触手段をインクリボンに接触させ、接触手段に含浸させた処理液をインクリボンに付着させる方法で行う。
【００３２】
本発明の消去ユニットにおいては、インクリボンと接触する接触手段の接触部分に凹部と凸部がある凹凸形状を設ける。そして、凹凸形状の凸部のみをインクリボンに接触させて接触した凸部から処理液をインクリボンに付着させる構成をとる。
【００３３】
また、上記の接触手段はロール面に凹凸形状を設けた回転ロールで構成する。ロール面に設ける凹凸形状は、ロール面の一周にわたって凹凸が交互に設けられて凹凸が回転ロールの長手方向に延びた形状、回転ロールの長手方向に沿って凹凸を交互に設け、その凹凸がロール面を一周にわたって周回した形状、あるいはまた千鳥模様状に凹凸を設けられた形状、などを好適な凹凸形状として選択する。
そして、回転ロールをスポンジで形成して回転ロールに処理液を含浸させ、回転ロールを回転させて回転ロールの凸部をインクリボンに接触させて回転ロールに含浸した処理液を凸部からインクリボンに付着させるものである。
【００３４】
また、別の接触手段としては、先端に櫛歯形状の凹凸を設けたスキージで構成する。
これは、スキージの凸部をインクリボンに接触させ、スキージに含浸させた処理液を凸部からインクリボンに付着させるものである。
【００３５】
なお、溶媒性の処理液としては、例えば、エタノール、イソプロピルアルコール、プロピレングリコール、エチレングリコール、グリセリン、ひまし油などを使用できるが、とりわけプロピレングリコール、エチレングリコール、グリセリン、ひまし油は他に比べ揮発性が低いためより好ましい。また、接着性の処理液としては、エポキシ樹脂接着剤やアクリル樹脂接着剤などが挙げられる。
【００３６】
接着性の処理液を用いた場合、インクリボンを巻回するとインクリボンのベースフィルムと記録跡のインク層が接着剤によって固化し、ベースフィルムが剥がれ難くなる。無理して剥がすと記録跡のインク層が剥がれて、記録跡の判読が不能になる。
また、溶媒性の処理液を用いると記録跡のインク層が溶解されて記録跡の判読が不能になる。
【００３７】
何れの接触手段を取っても、インクリボンの全面ではなく、一部分の面に溶剤を付着させる構成であるので処理液の使用量を減らすことができる。
なお、凹凸形状の凹凸の幅や間隔を適宜な幅や間隔に設定して記録跡の判読を不能にするものである。
以下、実施例でもって接触手段の詳細を説明する。
【実施例１】
【００３８】
実施例１に係る接触手段について図１〜図３を用いて説明する。なお、図１は本発明の実施例１に係る熱転写プリンタの構成の概要を模式的に示した概念図である。図２は図１における消去ユニットの回転ロールの斜視図、図３は図２におけるＡ部の拡大断面図を示している。
【００３９】
図１において、５はロール紙取り付け軸、６はロール紙である。１１はインクリボン取り付け軸、１２はインクリボン巻き取り軸で、１３はインクリボン、１３ａは未使用のインクリボン、１３ｂは使用済みのインクリボンである。インクリボン取り付け軸１１に未使用のインクリボン１３ａが取り付けられ、インクリボン巻き取り軸１２には使用済みのインクリボン１３ｂが取り付けられている。２０は熱転写ヘッド、２１はプラテンである。５０はプリンタケース、５１は印画されたロール紙６の印画出力口である。
以上の構成部品は前述の図１０をもって説明した従来技術における熱転写プリンタの構成部品と同じ仕様をとっているので同一符号を付してある。従って、同一構成部品の仕様説明は省略し、ここでの説明は必要限度に留めることにする。
【００４０】
６０は消去ユニット、６１は消去ユニット６０の主要構成部品でもあり接触手段でもある回転ロールである。６１ａは回転ロール６１のロール面に設けた凸部、６１ｂは回転ロール６１のロール面に設けた凹部を表している。
【００４１】
図１に示す熱転写プリンタの構成で、前述の従来技術で説明した熱転写プリンタの構成と異なるところは消去ユニット６０である。以降、仕様の異なる消去ユニット６０を主体にして実施例１を説明する。
【００４２】
消去ユニット６０の主要構成部品である回転ロール６１は、図１に示すように、ロール面一周にわたって凸部６１ａと凹部６１ｂを交互に設けた凹凸形状をなす。そして、凸部６１ａがインクリボンと接触する。図１において、回転ロール６１の凸部６１ａが使用済みで巻回されたインクリボン１３ｂの部位でインクリボン１３と接触している。
【００４３】
凹凸形状は、図２に示すように、ロール面一周にわたって凸部６１ａと凹部６１ｂが交互に設けられ、その凹部６１ｂと凸部６１ａは回転ロール６１の長手方向に延びた形状をなす。また、回転ロール６１の中心部には取付穴６１ｃが設けられていて、この取付穴６１ｃに回転軸（図示していない）が取り付けられるようになっている。回転軸は回転ロール６１を回転させるために設けるもので、回転軸を回わすことで回転ロール６１が回転する。
なお、この回転ロール６１を用いる場合には、回転ロール６１の凸部６１ａをインクリボンに接触させるのに回転ロール６１を回転させる回転機構が必要になる。図１の消去ユ
ニット６０においては、回転ロール６１の回転機構は省略している。
【００４４】
回転ロール６１はポリウレタン樹脂などから形成した多孔質のスポンジからなる。実施例１においては、図３に示すように、回転ロール６１の凹部６１ｂには樹脂などの硬質膜からなる硬質面６１ｄを設けている。
この硬質面６１ｄは、凹部６１ｂからの処理液の染み出し防止するためと凸部６１ａの変形防止のために設けている。
また、凸部６１ａの先端はスポンジの多孔質の面が露出している。回転ロール６１に含浸した処理液は凸部６１ａの先端の多孔質面から外に染み出る。
【００４５】
硬質面６１ｄをなす硬質膜はエポキシ樹脂やアクリル樹脂などの紫外線硬化樹脂を凹凸面の面上に塗布し、紫外線照射によって樹脂を硬化させ、その後に１２０°Ｃ前後での加熱処理を施し、その後に研削加工方法などで凸部６１ａの先端を削り取って多孔質面を露出させることで、硬質膜からなる硬質面６１ｄを仕上げることができる。
【００４６】
なお、硬質面６１ｄを設ける方法は必ずしも上記の方法に限るものではない。例えば、凹部を形成したい部位に熱を加えてスポンジを潰す方法も選択できる。この場合には、熱が加えられた部分が溶けて凹部の形状をなし、その表層部は気孔が無くなって材料が硬化する。
【００４７】
凹部６１ｂに硬質面６１ｄを設けることで、凹部６１ｂからの処理液の染み出しを無くすことができる。この硬質面６１ｄは処理液の染み出し防止手段としての働きをなしている。
また、凸部６１ａに力が加わったときに凸部６１ａが大きく変形することも抑制される。これは、凸部６１ａがインクリボンに接触したときに凸部６１ａに力が加えられるが、硬質面６１ｄがあることで凸部６１ａの形状が大きく変形することなく円滑に処理液がインクリボンに塗布できるようになる。
【００４８】
なお、凹部６１ｂに硬質面６１ｄを設けると上記のような効果を得るわけであるが、これは、必ずしも設けなければならないものでもない。凹部６１ｂが多孔質面をなしていると、そこから処理液が多少染み出しはするがインクリボンに付着するまでには至らない。
ただし、凹部６１ｂに染み出た処理液にはゴミなどが付着し易いので、汚れの原因にはなり易い。
【００４９】
回転ロール６１には後述する方法などで処理液が含浸される。回転ロール６１に含浸した処理液は、回転ロール６１の凸部６１ａがインクリボン１３に接触すると凸部６１ａから染み出た処理液がインクリボン１３の面に付着する。
【００５０】
ところで、インクリボン１３はベースフィルム上にインク層を形成したものからなる。図１に示されるように、インクリボン１３はインク層の面側がロール紙６側に向き、ベースフィルム側が熱転写ヘッド２０側を向いて移動する。従って、インクリボンに塗布される処理液はベースフィルム側に塗布されることになる。
しかしながら、使用済みのインクリボン１３を巻回するとベースフィルム側に塗布された処理液は巻回されるとインク層と重なり合ってインク層と接触する。このため、インク層に処理液が付着する。
実施例１においては、処理液は溶媒性処理液を用いている。巻回して溶媒性処理液に付着したインク層の部分は溶媒性処理液によって溶解され、記録跡の判読が不能になる。
このように、インクリボン１３のベースフィルム側に処理液が塗布されても何の支障もなく記録跡を消し去ることができる。
【００５１】
次に、図１において、図示はしていないが、消去ユニット６０には必要量の処理液が備えられており、その処理液は回転ロール６１に供給される。供給方法にはさまざまな方法をとることができる。
例えば、消去ユニット６０内に処理液の入った容器を備えておき、その容器に入った処理液に回転ロール６１の凸部６１ａを回転させながら浸漬することで、凸部６１ａの多孔質面から処理液を回転ロール６１内に染み込ませることができる。
【００５２】
また、回転ロール自体に所要量の処理液の貯留槽を設けることもできる。以下、貯留槽を設けた構成の回転ロールについて図４、図５を用いて説明する。ここで、図４は貯留槽付回転ロールの斜視図を表しており、図５は図４におけるＢ−Ｂ切断の断面図を示している。
図４において、回転ロール６１の内部（図示していない）には必要分の処理液を貯留する貯留槽を備えており、その貯留槽のキャップ（蓋）６３が、図中左端側に見える。
【００５３】
貯留槽の詳細は図５を用いて説明する。図５において、６２は貯留筒、６２ａは貯留筒６２の内周壁、６２ｂは貯留筒６２の外周壁、６２ｃは内周壁６２ａによって形成された取付穴、６２ｄは貯留筒６２の開口部、６２ｅは外周壁６２ｂに設けられた小孔、６２ｆは内周壁６２ａと外周壁６２ｂに囲まれた中空部を表している。また、６３はキャップ（蓋）、６４は処理液、６５は貯留槽を表している。
貯留槽６５は、図５に示すように、回転ロール６１の内部に設けている。この貯留槽６５は貯留筒６２と、貯留筒６２の中空部６２ｆ内に貯留した処理液６４と、処理液６４を封止するキャップ６３とから構成している。
【００５４】
貯留筒６２はプラスチックなどから形成しており、その中心側の方に円形の内周壁６２ａがある。この円形の内周壁６２ａによって形成された穴（中心部の穴）は回転軸の取付穴６２ｃをなしている。
また、貯留筒６２の外周には円形の外周壁６２ｂが設けられており、この外周壁６２ｂの外側において、回転ロール６１が圧入の下で係合している。
外周壁６２ｂと内周壁６２ａとで囲まれた部分は中空部６２ｆになっており、この中空部６２ｆの中に処理液６４が貯留されるようになっている。
また、貯留筒６２の両端部において、片側端（図中右側の端）は塞がれており、もう一方の片側端（図中左側の端）は開口部６２ｄが設けられている。この開口部６２ｄから処理液６４を注入する。
【００５５】
また、円形の外周壁６２ｂには複数の小孔６２ｅを等間隔に設けており、この小孔６２ｅを通って貯留された処理液６４が回転ロール６１に供給されるようになっている。
中空部６２ｆに処理液６４を注入した後、開口部６２ｄをキャップ６３で塞ぐことにより、処理液６４を貯留した貯留槽６５が形成される。
【００５６】
貯留槽６５に貯留された処理液６４が小孔６２ｅから出てきて回転ロール６１内に染み込んでいき、そして、回転ロール６１の凸部６１ａの所へと浸透していく。
以上のような構成の貯留槽６５付きの回転ロール６１を用いると、消去ユニット６０の中に処理液を供給する装置を設ける必要はなくなる。
【００５７】
次に、上記の構成をなす回転ロール６１の作用・効果を説明する。
インクリボン巻き取り軸１２に巻き取られるインクリボン１３の速さに同期して回転ロール６１が回転し、回転ロール６１の凸部６１ａとインクリボン１３が接触して回転ロール６１に含浸した処理液が凸部６１ａからインクリボン１３に塗布される。
そして、塗布された処理液の塗布形状は帯状にして一定間隔に並んだ塗布形状となる。
一方、回転ロール６１の凹部６１ｂからは処理液が染み出さないから、凹部６１ｂと対
面する部分のインクリボン１３には処理液は塗布されない。従って、インクリボン１３に処理液が塗布されない部分も帯状に現れる。
よって、インクリボンには処理液が塗布された部分と塗布されない部分が帯状に交互に現れる。
【００５８】
そして、前述したように、帯状に塗布された処理液とインクリボンの１３のインク層とが重なり合って接触した部分のインク層は処理液によって熔解されるので、その部分の記録跡は判読不能になる。
帯状になって処理液が塗布されていない部分と重なり合うインク層は処理液と接触しないから、記録跡のインク層はそのまま残ることになる。
【００５９】
しかしながら、処理液が塗布されていない部分での残された記録跡だけで判読が不可能であれば情報が漏れると言う心配はなくなる。
もし、残された記録跡で判読が可能の状態であるならば、回転ロール６１の凹部６１ｂの幅を小さくするとか、凸部６１ａの幅を大きくするとかの方法をとることによって、即ち、処理液が塗布される面積を大きくするとかの方法によって記録跡の判読を不可能にすることができる。
記録跡の判読性は回転ロール６１に設ける凸部６１ａと凹部６１ｂの間隔やその幅によっても決まるので、凸部６１ａと凹部６１ｂの間隔や幅は判読可否を考慮して適宜に設定するのが良い。
【００６０】
以上述べたように、接触手段を回転ロールで構成し、その回転ロールに上記した如くの凹凸を設けた構成にすることによって、回転ロールを回転させるだけで上記したようにインクリボンに処理液が塗布される部分と塗布されない部分が現れる。そして、凹凸の間隔や幅を適宜に設定することで記録跡の判読を不能にすることができる。これは、処理液の塗布量は少なくなって処理液の使用量が大幅に減る効果が得られる。
また、凹部に硬質面を設けることで、回転ロールの凹部からは処理液が染み出てこなくなり、ゴミなどの付着による回転ロールの汚れも抑制される。
【００６１】
実施例１においては、処理液に溶媒性処理液を用いたが接着剤からなる接着性処理液を用いても良い。接着性処理液は回転ロール６１内で液体状で貯留されている状態では固化されないので、凸部６１ａから接着性処理液をインクリボンに塗布できる。接着性処理液をインクリボンに塗布することにおいては何ら支障は生じない。
接着性処理液がインクリボンに塗布されて薄膜状になると固化が起き、インクリボンのベースフィルムと記録跡のインク層が接着して固化する。そして、ベースフィルムを無理に剥がすと記録跡のインク層が剥がれ、記録跡の判読が不能になる。
【実施例２】
【００６２】
次に、実施例２に係る回転ロールについて図６を用いて説明する。図６は実施例２に係る接触手段としての回転ロールの形状を示す図で、図６（ａ）は回転ロールの平面図、図６（ｂ）は図６（ａ）におけるＣ−Ｃ切断の断面図を示している。
【００６３】
図６において、７１は回転ロール、７１ａは回転ロール７１のロール面に設けた凸部、７１ｂは回転ロール７１のロール面に設けた凹部、７１ｃは回転ロール７１の中心部に設けた取付穴を表している。
【００６４】
実施例２の回転ロール７１は、回転ロール７１の長手方向に沿って凸部７１ａと凹部７１ｂが交互に一定間隔の下で設けられ、その凸部７１ａと凹部７１ｂは一周にわたって周回した形状をなす。また、その中心部には回転軸（図示していない）を取付けるための取付穴７１ｃを設けている。取付穴７１ｃに係合する回転軸を中心に回転ロール７１は回転
する。
【００６５】
回転ロール７１は、実施例１と同様に、ポリウレタン樹脂などから形成した多孔質のスポンジからなり、回転ロール７１の凹部７１ｂには樹脂などの硬質膜からなる硬質面を設けている。また、凸部７１ａの先端は多孔質面が露出しており、回転ロール７１に含浸した処理液は凸部７１ａ先端の多孔質面から染み出し、凸部７１ａと接触するインクリボンに処理液が付着する。
【００６６】
この回転ロール７１を用いた場合は、インクリボンに塗布される処理液の塗布形状は、インクリボンの長手方向、つまり、インクリボンの移動する方向に沿って縦縞模様状に並んだ複数の帯状の塗布形状が形成される。
そして、凸部７１ａと凹部７１ｂの間隔を適宜な間隔に設定することによって、実施例１で説明したと同様に、記録跡を判読不能にすることができる。
【００６７】
更に、回転ロール７１はインクリボンに接触する凸部７１ａが一周にわたって周回して設けられていることから、凸部７１ａは巻取り方向に移動するインクリボンと絶えず接触する。このため、インクリボンの移動する方向には回転ロール７１はスリップすることなく回転する。
このことは、スリップによって処理液がインクリボンに塗布されない部分が発生するという問題が無くなるばかりではなく、消去ユニットの中で回転ロール７１とインクリボンとの接触配置構造を工夫することで、回転ロール７１を回転させる回転機構を設けなくとも回転させることが可能になる。例えば、回転ロール７１の自重を利用して回転させる構造にすると特別な回転機構は要らない。
【００６８】
また、以上の構成をなす回転ロール７１に前述の実施例１で説明した貯留槽を設けることも可能である。貯留槽を設けた回転ロールにあっては、消去ユニットの中での処理液の供給機能は不要となる。
以上の構成をなした回転ロールの効果は実施例１で説明した効果と同様な効果を得る。
【実施例３】
【００６９】
次に、実施例３に係る回転ロールについて図７を用いて説明する。図７は接触手段としての回転ロールの他の凹凸形状を示した斜視図である。
【００７０】
図７において、８１は回転ロール、８１ａは回転ロール８１のロール面に設けた凸部、８１ｂは回転ロール８１のロール面に設けた凹部を表している。
実施例３の回転ロール８１は、ロール面の一周方向及び回転ロール８１の長手方向に凸部８１ａと凹部８１ｂを交互に、つまり、千鳥模様状に凹凸を設けた凹凸形状をなすものである。
【００７１】
回転ロール８１はポリウレタン樹脂などから形成した多孔質のスポンジからなり、凹部８１ｂには、前述の実施例１と同様に、硬質面を設けており、凸部８１ａの先端表面は多孔質面が露出している。
【００７２】
上記凹凸形状の回転ロール８１を用いた効果は前述の実施例１の効果と同じ効果を得る。
更に、回転ロール８１の凸部８１ａは絶えずインクリボンと連続して接触するので回転ロール８１がスリップするという状態は発生しない。
【実施例４】
【００７３】
次に、実施例４に係る接触手段を図８、図９を用いて説明する。図８は実施例４に係る
接触手段としてのスキージの斜視図である。また、図９は図８に示すスキージを備えた消去ユニットの概要を模式的に示した概念図である。
【００７４】
図８において、９１はスキージで、インクリボンに接触する接触手段の働きをなす。９１ａはスキージ９１の先端に設けた凸部、９１ｂはスキージ９１の先端に設けた凹部である。
スキージ９１はＬ字型の形状をなして、インクリボンと接触する側の先端に櫛歯形状をなすように凸部９１ａと凹部９１ｂの凹凸を設けた構成をなす。
また、図示はしていないが、凹部９１ｂは、前述の実施例１と同様に、硬質面に仕上げている。
【００７５】
スキージ９１はポリウレタン樹脂などから形成した多孔質のスポンジからなり、インクリボンと接触する凸部９１ａの先端は多孔質面が露出している。スキージ９１に含浸された処理液が凸部９１ａ先端の多孔質面から染み出てくる。
インクリボンの巻き取り軸に巻き取られるインクリボンにスキージ９１が接触すると、スキージ９１の凸部９１ａでもってインクリボンの面を掻き擦りながら凸部９１ａから処理液が染み出てきて、インクリボンの面に処理液が付着する。
【００７６】
スキージ９１を設けた消去ユニット９０は、図９に示すように、処理液が消去ユニット９０の中に必要量備えられている。そして、スキージ９１の他方端（凹凸が設けられた端の反対側に当たる端）側を処理液に浸漬することによってスキージ９１に処理液が含浸される。
【００７７】
実施例４のスキージ９１はＬ字型の形状をなしたものであるが、必ずしもＬ字型の形状に限るものではない。例えば、平板状の形状であっても構わないものである。
【００７８】
実施例４ではスキージ９１なる接触手段を説明した。スキージ９１の形状を上記した形状にすることにより、実施例１で説明した効果と同じ効果を得ることができる。
また、スキージ９１の凸部９１ａと凹部９１ｂの間隔や幅などを適宜に設定することでインクリボンの記録跡を十分に判読不能にできる。
【００７９】
なお、上述した実施例において、凹部には必ずしも硬質面を設けなくてもよく、凹部においても多孔質面が露出した構成としてもよい。
【符号の説明】
【００８０】
５    ロール紙取り付け軸
６    ロール紙
１１    インクリボン取り付け軸
１２    インクリボン巻き取り軸
１３    インクリボン
１３ａ  未使用のインクリボン
１３ｂ  使用済みのインクリボン
２０    熱転写ヘッド
２１    プラテン
５１    印画出力口
６０、９０  消去ユニット
６１、７１、８１、９１    回転ロール
６１ａ、７１ａ、８１ａ、９１ａ  凸部
６１ｂ、７１ｂ、８１ｂ、９１ａ  凹部
６１ｃ、６２ｃ  取付穴
６１ｄ  硬質面
６２    貯留筒
６２ａ  内周壁
６２ｂ  外周壁
６２ｄ  開口部
６２ｅ  小孔
６２ｆ  中空部
６３    キャップ
６４    溶剤
６５    貯留槽
【図１】
2011201243.tif 000003
【図２】
2011201243.tif 000004
【図３】
2011201243.tif 000005
【図４】
2011201243.tif 000006
【図５】
2011201243.tif 000007
【図６】
2011201243.tif 000008
【図７】
2011201243.tif 000009
【図８】
2011201243.tif 000010
【図９】
2011201243.tif 000011
【図１０】
2011201243.tif 000012
【図１１】
2011201243.tif 000013